(57)【要約】【課題】  タッチパネルに表示されるインデックスの数が増えても、タッチパネルの押圧によるインデックスの選択が容易であるナビゲーション装置を提供する。【解決手段】  タッチパネル１８に表示されており、地図５１３の縮尺を変更するインデックス５０１〜５１２を縦方向に２列に並べて表示する。また、縦方向２列に並んだそれぞれのインデックス５０１〜５０６と、インデックス５０７〜５１２とを互いに縦方向にずらして配置する。インデックス５０１〜５１３の大きさは、直径１ｃｍの円５１５が含まれる大きさとする。【選択図】図５
2006085458.tif 000002
【特許請求の範囲】
【請求項１】
押圧すると所定の機能を動作させる複数のインデックスがタッチパネルに表示されるナビゲーション装置において、
前記インデックスは縦方向に２列に配置され、
前記２列のうちの一方の列に配置されたインデックスと、前記２列のうちの他方の列に配置されたインデックスとは、相互に縦方向にずらして配置され、
前記２列のうちの前記一方の列に配置されたインデックスは、前記他方のインデックスの列に向かって凸の形状であり、
前記他方の列に配置されたインデックスは、前記一方のインデックスの列に向かって凸の形状であることを特徴とするナビゲーション装置。
【請求項２】
押圧すると所定の機能を動作させる複数のインデックスがタッチパネルに表示されるナビゲーション装置において、
前記インデックスは縦方向に２列に配置され、
前記２列のうちの一方の列に配置されたインデックスと、前記２列のうちの他方の列に配置されたインデックスとは、相互に縦方向にずらして配置され、
前記２列のうちの前記一方の列に配置されたインデックスの一部が、隣接する前記他方の列の２つのインデックス間に配置され、
前記２列のうちの前記他方の列に配置されたインデックスの一部が、隣接する前記一方の列の２つのインデックス間に配置されていることを特徴とするナビゲーション装置。
【請求項３】
押圧すると所定の機能を動作させる複数のインデックスがタッチパネルに表示されるナビゲーション装置において、
前記インデックスは縦方向に２列に配置され、
前記２列のうちの一方の列に配置されたインデックスと、前記２列のうちの他方の列に配置されたインデックスとは、相互に縦方向にずらして配置され、
前記２列のうちの前記一方の列に配置されたインデックスの一部が、隣接する前記他方の列の２つのインデックス間に配置されていることを特徴とするナビゲーション装置。
【請求項４】
請求項１乃至３のいずれかに記載のナビゲーション装置でおいて、
前記タッチパネルを押圧して前記複数のインデックスからインデックスを選択し確定するのに加えて、前記インデックスを選択し確定する入力装置をさらに備え、
前記入力装置は前記インデックスを選択し確定するために操作される２つの操作部材を有し、
前記２つの操作部材のうちのいずれか一方の操作部材を操作し続けると、前記一方の列のインデックスと前記他方の列のインデックスとが交互に選択されることを特徴とするナビゲーション装置。
【請求項５】
請求項４に記載のナビゲーション装置であって、
前記入力装置の一方の操作部材は回転式操作部材であり、
前記回転式操作部材の回転操作でいずれかのインデックスを選択し、
その後に他方の操作部材により、選択された前記インデックスを確定することを特徴とするナビゲーション装置。
【発明の詳細な説明】
【技術分野】
【０００１】
本発明は、タッチパネルにインデックスを表示したナビゲーション装置に関する。
【背景技術】
【０００２】
ナビゲーション装置の表示部に短冊状のインデックスをリストとして表示するナビゲーション装置が知られている（特許文献１）。
【特許文献１】特開２００３−７５１７１号公報
【発明の開示】
【発明が解決しようとする課題】
【０００３】
特許文献１に記載されている短冊状のインデックスでは、画面に多くのインデックスをリスト状に表示しようとすると、インデックスの縦の長さが短くなる。そのため、タッチパネルにインデックスを表示させ、インデックスの表示部分を指で押圧することによりインデックスを選択する場合、インデックスの選択操作が難しくなるという問題点がある。
【課題を解決するための手段】
【０００４】
請求項１の発明は、押圧すると所定の機能を動作させる複数のインデックスがタッチパネルに表示されるナビゲーション装置において、インデックスは縦方向に２列に配置され、２列のうちの一方の列に配置されたインデックスと、２列のうちの他方の列に配置されたインデックスとは、相互に縦方向にずらして配置され、２列のうちの一方の列に配置されたインデックスは、他方のインデックスの列に向かって凸の形状であり、他方の列に配置されたインデックスは、一方のインデックスの列に向かって凸の形状であることを特徴とする。
請求項２の発明は、押圧すると所定の機能を動作させる複数のインデックスがタッチパネルに表示されるナビゲーション装置において、インデックスは縦方向に２列に配置され、２列のうちの一方の列に配置されたインデックスと、２列のうちの他方の列に配置されたインデックスとは、相互に縦方向にずらして配置され、２列のうちの一方の列に配置されたインデックスの一部が、隣接する他方の列の２つのインデックス間に配置され、２列のうちの他方の列に配置されたインデックスの一部が、隣接する一方の列の２つのインデックス間に配置されていることを特徴とする。
請求項３の発明は、押圧すると所定の機能を動作させる複数のインデックスがタッチパネルに表示されるナビゲーション装置において、インデックスは縦方向に２列に配置され、２列のうちの一方の列に配置されたインデックスと、２列のうちの他方の列に配置されたインデックスとは、相互に縦方向にずらして配置され、２列のうちの一方の列に配置されたインデックスの一部が、隣接する他方の列の２つのインデックス間に配置されていることを特徴とする。
請求項４の発明は、請求項１乃至３のいずれかに記載のナビゲーション装置でおいて、タッチパネルを押圧して複数のインデックスからインデックスを選択し確定するのに加えて、インデックスを選択し確定する入力装置をさらに備え、入力装置は前記インデックスを選択し確定するために操作される２つの操作部材を有し、２つの操作部材のうちのいずれか一方の操作部材を操作し続けると、一方の列のインデックスと他方の列のインデックスとが交互に選択されることを特徴とする。
請求項５の発明は、請求項４に記載のナビゲーション装置であって、入力装置の一方の操作部材は回転式操作部材であり、回転式操作部材の回転操作でいずれかのインデックスを選択し、その後に他方の操作部材により、選択されたインデックスを確定することを特徴とする。
【発明の効果】
【０００５】
本発明によれば、タッチパネルに表示されるインデックスの数が増えても、押圧によるインデックスの選択が容易になる。
【発明を実施するための最良の形態】
【０００６】
本発明の一実施形態によるナビゲーション装置の構成を図１に示す。図１のナビゲーション装置１は、地図表示などの通常のナビゲーション機能を入力装置１７のほかにタッチパネル１８による入力操作でも行えるようにしている。ナビゲーション装置１は、制御回路１１、ＲＯＭ１２、ＲＡＭ１３、現在地検出装置１４、画像メモリ１５、表示モニタ１６、入力装置１７、タッチパネル１８、ＶＩＣＳ（道路交通情報システム）情報受信部２０およびディスクドライブ２１を有している。タッチパネル１８は、表示モニタ１６の表面に積層される透明のタッチスイッチである。この明細書中、表示モニタ１６に表示される画像がタッチパネル１８に表示されると表現する。タッチパネル１８には、タッチパネル１８からの信号によりタッチパネル１８の押圧位置を算出するタッチパネルコントロール部１９が接続されている。ディスクドライブ２１には、地図データが記録されたＤＶＤ−ＲＯＭ２２が装填される。地図データは、地図表示用データ、経路探索用データなどを含む。地図表示用データは、広域から詳細まで複数の縮尺の地図データを有し、操作者の要求にしたがって、表示地図の縮尺を変更することができる。
【０００７】
制御回路１１は、マイクロプロセッサ及びその周辺回路からなり、ＲＡＭ１３を作業エリアとしてＲＯＭ１２に格納された制御プログラムを実行して各種の制御を行う。この制御回路１１がＤＶＤ−ＲＯＭ２２に記憶された地図データに基づいて所定の経路探索処理を行うと、その処理結果が推奨経路としてタッチパネル１８に表示される。
【０００８】
現在地検出装置１４は車両の現在地を検出する装置であり、たとえば、車両の進行方位を検出する振動ジャイロ１４ａ、車速を検出する車速センサ１４ｂ、ＧＰＳ（Ｇｌｏｂａｌ  Ｐｏｓｉｔｉｏｎｉｎｇ  Ｓｙｓｔｅｍ）衛星からのＧＰＳ信号を検出するＧＰＳセンサ１４ｃなどからなる。ナビゲーション装置１は、この現在地検出装置１４により検出された車両の現在地に基づいて、地図の表示範囲や経路探索開始点などを決定するとともに、地図上にその現在地を表示する。
【０００９】
画像メモリ１５は、タッチパネル１８に表示するための画像データを格納する。この画像データは道路地図描画用データや各種の図形データからなり、それらはディスクドライブ２１によって読み込まれるＤＶＤ−ＲＯＭ２２に記憶された地図データに基づいて、適宜生成される。ナビゲーション装置１は、このようにして生成された画像データを用いることによって地図表示など行うことができる。
【００１０】
表示モニタ１６は、地図データなどの各種情報に基づいて、自車位置付近の道路地図などの各種情報を画面表示として運転者に提供する。入力装置１７は、操作者が各種コマンドを設定するための入力スイッチを有し、これは操作パネルやリモコンなどによって実現される。操作者は、タッチパネル１８の表示画面の指示に従って入力装置１７を手動で操作することにより、目的地を選択して目的地を設定する。上述したとおり、タッチパネル１８は表示モニタ１６のモニタ画面上に設けられた透明パネルであり、表示モニタ１６に表示したモニタ画面はタッチパネル１８を通して表示される。タッチパネル１８は入力装置１７と同様に入力機能を有し、タッチパネル１８に表示された地図画面や各種ボタン、表示メニューなどを指で押圧すると、タッチパネルコントロール部１９によって押圧位置が算出され、算出された押圧位置は制御回路１１に入力され、目的地を設定したり、各種ボタンや表示メニューに対応する機能を実行させたりする。たとえば、タッチパネル１８に表示されたスクロールボタンを押圧すると地図画面や選択メニューなどの表示をスクロールすることができる。
【００１１】
目的地が運転者により設定されると、ナビゲーション装置１はＧＰＳセンサ１４ｃにより検出された現在地を出発地として目的地までの経路演算を所定のアルゴリズムに基づいて行う。このようにして求められたルート（以下、探索ルートという）は、表示形態、たとえば表示色などを変えることによって、ほかの道路とは区別して画面表示される。これにより、運転者は地図上の探索ルートを画面上で認識することができる。また、ナビゲーション装置１は、探索ルートに従って車両が走行できるように、運転者に対して画面や音声などによる進行方向指示を行い、車両を誘導する。
【００１２】
ＶＩＣＳ情報受信部２０は、図示しないＶＩＣＳ情報センターから供給される渋滞情報などのＶＩＣＳ情報を受信し、制御回路１１に出力する。このＶＩＣＳ情報は主に高速道路上に設置されている電波ビーコンや、主に一般道路上に設置されている光ビーコン、またはＦＭ多重放送によって送信される。ナビゲーション装置１は、これらによって送信されたＶＩＣＳ情報をＶＩＣＳ情報受信部２０により受信する。
【００１３】
ディスクドライブ２１は、装填されたＤＶＤ−ＲＯＭ２２から、表示モニタ１６、すなわちタッチパネル１８へ地図を表示するための地図データを読み出す。なお、ＤＶＤ−ＲＯＭ２２以外の他の記録メディア、たとえばＣＤ−ＲＯＭやハードディスクなどより地図データを読み出してもよい。
【００１４】
図２は、本発明の一実施形態によるナビゲーション装置を車両内のセンターコンソール部に実装したときの外観略図である。表示モニタ１６の画面上に設けられたタッチパネル１８がセンターコンソールの上部側に設置され、入力装置１７に相当する操作パネル２０１はセンターコンソールの下部側に設置される。
【００１５】
図２に示されたタッチパネル１８の押圧位置は次のようにして算出される。まず、タッチパネルの原理を、図３を参照して説明する。図３はタッチパネルの断面を示す図である。タッチパネル１８は、ＩＴＯ（Ｉｎｄｉｕｍ  Ｔｉｎ  Ｏｘｉｄｅ）膜などの透明導電膜３１を形成したガラス基板３２に、スペーサ３３をはさんで、ＩＴＯ膜などの透明導電膜３４を形成したＰＥＴ（Ｐｏｌｙｅｔｈｙｌｅｎｅ  Ｔｅｒｅｐｈａｌａｔｅ）フィルム３５を貼り合わせることによって作製する。ＰＥＴフィルム３５は可撓性を有するので、ＰＥＴフィルム３５の表面を押圧すると、ガラス基板３２に形成された透明導電膜３１とＰＥＴフィルム３５に形成された透明導電膜３４は押圧した位置で短絡を起こす。
【００１６】
図４はタッチパネル１８の動作原理を説明する図である。この押圧をして短絡を起こした位置を図４のＡ点とする。ＰＥＴフィルム３５に形成されている透明導電膜３４にＸ軸電極４１、４２を形成する。ガラス基板３２に形成されている透明導電膜３１にＹ軸電極４３、４４を形成する。そして、Ｘ軸電極４１、４２およびＹ軸電極４３、４４はタッチパネルコントロール部１９に接続されている。Ａの位置で押圧されるとき、Ｘ軸電極４１、４２に電圧を印加すると、透明導電膜３１と３４は短絡されているので、Ｙ軸電極４３、４４において電圧が検出される。この検出された電圧値から押圧位置のＸ座標がタッチパネルコントロール部１９にて算出される。一方、Ｙ軸電極４３、４４に電圧を印加すると、同様にしてＸ軸電極４１、４２において電圧が検出される。この検出された電圧値により押圧位置のＹ座標がタッチパネルコントロール部１９にて算出される。以上より、Ｘ軸電極４１、４２とＹ軸電極４３、４４に交互に電圧を印加することにより、押圧位置Ａの位置（Ｘ，Ｙ）が算出される。このように算出された押圧位置Ａは位置信号として制御回路１１へ出力される。
【００１７】
この位置信号における押圧位置が、タッチパネル１８に表示されているインデックスなどのボタンの表示範囲内であると判定されると、制御回路１１は、それぞれのボタンに割り当てられた機能を動作させる。ここでインデックスとは文字あるいはアイコンが表示されているボタンをいう。
【００１８】
図２の操作パネル２０１には、ナビゲーション装置１の入力装置１７であるボタンやスイッチ類が設けられている。すなわち、操作パネル２０１には、戻るボタン２０２、メニュー画面表示ボタン２０３、情報・ＴＶボタン２０４、オーディオボタン２０５、８方向＆決定スイッチ２０６、広域ボタン２０７、詳細ボタン２０８、ナビメニューボタン２０９、現在地ボタン２１０、設定ボタン２１１、状態表示ボタン２１２、画面・消ボタン２１３、第１のお気に入りボタン２１４および第２のお気に入りボタン２１５が設けられている。
【００１９】
戻るボタン２０２は、項目設定中の各画面では一つ前の画面に戻る機能を有する。また、項目設定の最終画面では決定の役割を果たす。メニュー画面ボタン２０３は、ナビゲーション装置１のメニュー画面を表示する機能を有する。情報・ＴＶボタン２０４は、情報・ＴＶ（不図示）に関するメニュー画面を表示する機能を有する。オーディオボタン２０５は、オーディオ（不図示）に関するメニュー画面を表示する機能を有する。
【００２０】
８方向＆決定スイッチ２０６は、８方向ボタン２０６ａ、決定ボタン２０６ｂおよびロータリースイッチ２０６ｃより構成される。８方向ボタン２０６ａは、三角マークが付された４つのボタンやそれら４つのボタンに挟まれて配置されている４つのボタンを押圧操作することによって、タッチパネル１８に表示された地図を８方向にスクロールさせたり、タッチパネルの画面内のボタンを選択する機能を有する。決定ボタン２０６ｂは、選択したボタンの内容を実行するための画面を表示させる機能を有する。ロータリースイッチ２０６ｃは、８方向＆決定スイッチ２０６の外周部に配置されて、矢印Ｒ方向に回転操作することができる。ロータリースイッチ２０６ｃを回転操作することによって、タッチパネル１８に表示されているインデックスなどのボタンを選択する機能を有する。
【００２１】
広域ボタン２０７は、地図表示の縮尺を小さな縮尺に切り換える機能を有する。詳細ボタン２０８は、地図表示の縮尺を大きな縮尺に切り換える機能を有する。ナビメニューボタン２０９は、ナビゲーションシステムのメニュー画面を表示する機能を有する。現在地ボタン２１０は、現在地の地図画面と現在地メニューとを表示する機能を有する。設定ボタン２１１は、設定メニュー画面を表示する機能を有する。状態表示ボタン２１２は、エアコン（不図示）、オーディオ（不図示）の動作状態を表示する機能を有する。画面・消ボタン２１３は、タッチパネル１８の表示画面の消去、画面表示色、明るさ、コントラストを調整する機能を有する。第１のお気に入りボタン２１４および第２のお気に入りボタン２１５は、それぞれのボタンに登録されている機能を実行する機能を有する。
【００２２】
次に、本発明の第１の実施形態のナビゲーション装置１で用いるインデックスについて、図５を参照して説明する。図５は、本発明の第１の実施形態のナビゲーション装置１のインデックスを表示したタッチパネル１８の表示画面について説明する図である。表示パネル１８にはインデックス５０１〜５１２と、地図５１３が表示される。インデックス５０１〜５１２には、所定の距離が表示されており、インデックス５０１〜５１２を所定時間以上押圧すると、表示されている距離が地図５１３の横幅に相当する縮尺で地図５１３が表示される。たとえば、インデックス５１１を指で押圧すると地図５１３の横幅が５０ｍに相当する縮尺で地図５１３は表示される。
【００２３】
図５に示すように、本発明の第１の実施形態のナビゲーション装置１では、インデックス５０１〜５１２は縦方向に２列に並べて表示される。左側一列のインデックス５０１〜５０６は右側一列のインデックス５０７〜５１２よりもインデックスの高さの１／２だけ上側に配置されている。インデックス５０１〜５１２のそれぞれは、四角形の一辺に二等辺三角形を接してなる五角形形状を呈し、三角形の頂点が左右方向を向いている。すなわち、左側一列のインデックス５０１〜５０６の頂点は右方を向き、右側一列のインデックス５０７〜５１２の頂点は左方を向いている。さらに、左側一列の左方を向く頂点は、右側一列の各インデックスの間を向き、右側一列の右方を向く頂点は、左側一列の各インデックスの間を向いている。換言すると、左側の列のインデックス５０１〜５０６は右側の列のインデックス５０７〜５１２に向かって凸の形状であり、右側の列のインデックス５０７〜５１２は左側の列のインデックス５０１〜５０６に向かって凸の形状である。
【００２４】
インデックスボタン５０１〜５１２は、タッチパネル１８を押圧して選択、確定される以外に、８方向＆決定スイッチ２０６のロータリースイッチ２０６ｃによって選択される。図５に示すようにインデックス５０１が選択されている場合、ロータリースイッチ２０６ｃを矢印Ｓ方向に回転させると、インデックス５０７→インデックス５０２→インデックス５０８・・・のように、すなわち、矢印５１６に示すようにジグザグ方向の順番にインデックスが選択される。ロータリースイッチ２０６ｃを反時計回転方向に操作した場合は、矢印５１６を逆にたどる順番でインデックスが選択される。
【００２５】
ロータリースイッチ２０６ｃにより選択されたインデックス５０１〜５１２は、８方向＆決定スイッチ２０６の決定ボタン２０６ｂを押圧することによって確定され、インデックス５０１〜５１２に表示されている距離が地図５１３の横幅に相当する縮尺で地図５１３が表示される。つまり、入力装置１７である操作パネル２０１に設けられた２つの操作部材、ロータリースイッチ２０６ｃと決定ボタン２０６ｂによっても、インデックス５０１〜５１２は選択、確定される。
【００２６】
本願発明の第１の実施形態のナビゲーション装置１は、次のような作用効果が得られる。
（１）インデックス５０１〜５１２は縦方向に２列に並べて表示されている。よって、横長短冊状のインデックスをリストとして表示する場合に比べて、インデックス５０１〜５１２の縦の長さが２倍になる。このため、タッチパネル１８を押圧することによって、インデックス５０１〜５１２を選択することが容易になる。インデックス５０１〜５１２の大きさは、指で容易にインデックス５０１〜５１２の表示範囲を押圧できるようにするため、直径１ｃｍの円５１５が含まれる大きさであることが好ましい。
（２）インデックス５０１〜５１２の縦方向にずらした配置と左右各列のインデックスの頂点の向きによって、ロータリースイッチ２０６ｃを矢印Ｓ方向に回転させたときに各インデックスの頂点が向いているインデックスが次に選択されるインデックスであることを視覚的に認識させることができる。よって、ロータリースイッチ２０６ｃを矢印Ｓ方向に回転させた場合、インデックス５０１〜５１２の選択位置は矢印５１６が示す順序に動くことが、一見してわかる。一方、図６に示すように、単にインデックス５０１〜５１２は縦方向に２列に並べただけであると、インデックス５０１〜５１２の選択位置は、矢印６０１、６０２に示すような縦方向に動くのか、それとも矢印６０３が示すようにジグザグ方向に動くのか、一見しただけではわからない。
【００２７】
次に、本発明の第２の実施形態のナビゲーション装置１Ａを、図７を参照して説明する。図７は、本発明の第２の実施形態のナビゲーション装置１Ａのインデックスを表示したタッチパネル１８の表示画面を説明する図である。インデックス７０１〜７１２が第１のインデックス５０１〜５１２と相違する点は、インデックス７０１〜７１２の各頂点から細いバーＢＡを左右に延在させ、上下に隣接するインデックス間にバーＢＡを介在させた点である。換言すると、左側の列のインデックス７０２〜７０６の一部を構成するバーＢＡは、右側の列の隣接するインデックス７０７〜７１２の間に配置され、右側の列のインデックス７０７〜７１１の一部を構成するバーＢＡは、左側の列の隣接するインデックス７０１〜７０６の間に配置される。
【００２８】
このように、上下に隣接するインデックス間にバーＢＡを介在させることにより、ロータリースイッチ２０６ｃを回転操作する際に、その操作方向が時計回転方向であれば、現在選択されているインデックスの頂点から伸びるバーＢＡの先端部下方に位置するインデックスが次に選択されるインデックスであることが容易に認識できる。その操作方向が反時計回転方向であれば、現在選択されているインデックスの頂点から伸びるバーＢＡの先端部上方に位置するインデックスが次に選択されるインデックスであることが容易に認識できる。また、第１の実施の形態のナビゲーション装置１と同様に、縦方向に２列のインデックスを配置していることによる作用効果も奏することができる。
【００２９】
次に、本発明の第３の実施形態のナビゲーション装置１Ｂを、図８を参照して説明する。図８は、本発明の第３の実施形態のナビゲーション装置１Ａのインデックスを表示したタッチパネル１８の表示画面を説明する図である。インデックス８０１〜８１２が第２のインデックス７０１〜７１２と相違する点は、細いバーＢＡをのぞいたインデックス８０１〜８１２の形状が凸の形状でない点と、２つの列のインデックス８０１〜８１２のうち一方の列のインデックス８０７〜８１２のみから細いバーＢＡを他方の列のインデックス８０１〜８０６へ向けて延在させ、上下に隣接するインデックス間にバーＢＡを介在させた点である。換言すると、右側の列のインデックス８０６〜８１１の一部を構成するバーＢＡは、右側の列の隣接するインデックス８０１〜８０６の間に配置される。
【００３０】
このように、上下に隣接する一方の列のインデックス間のみにバーＢＡを介在させることによっても、ロータリースイッチ２０６ｃを回転操作する際に、その操作方向が時計回転方向であれば、現在選択されているインデックスの下方に位置するバーＢＡを有するインデックス、または現在選択されているインデックスのバーＢＡの先端部下方に位置するインデックスが次に選択されるインデックスであることが容易に認識できる。その操作方向が反時計回転方向であれば、現在選択されているインデックスの上方に位置するバーＢＡを有するインデックス、または現在選択されているインデックスのバーＢＡの先端部上方に位置するインデックスが次に選択されるインデックスであることが容易に認識できる。また、第１の実施の形態のナビゲーション装置１と同様に、縦方向に２列のインデックスを配置していることによる作用効果も奏することができる。
【００３１】
本発明の実施形態では、インデックス５０１〜５１２、７０１〜７１２、８０１〜８１２は地図５１３の縮尺を変更するボタンであったが、本発明はこの実施形態には限定されない。たとえば、経路探索の目的地を地名で設定するときの目的地のリストの頭出し用のインデックスでもよい。
【００３２】
本発明の実施形態では、タッチパネル１８に表示されているインデックスの選択を、ロータリースイッチ２０６ｃによって選択できるようにしたが、２種類の操作によってインデックスを選択するスイッチやボタン（直線方向操作デバイス）であれば、とくに限定されない。ロータリースイッチ２０６ｃの場合は、スイッチの右回転および左回転によってインデックスの選択を行ったが、たとえば、操作パネル上の２つのボタンを使用してインデックスを選択（一方のボタンを押すとロータリースイッチを右回転したのと同様に選択位置が変わり、他方のボタンを押すとロータリースイッチを左回転したのと同様に選択位置が変わる場合など）できるようにしてもよい。また、操作パネルのボタンやスイッチ以外にリモコンのジョイスティックなどから選択できるようにしてもよい。
【００３３】
特許請求の範囲の要素と実施の形態との対応関係を説明する。
本願発明の一方の列に配置されたインデックスはインデックス５０１〜５０６、７０１〜７０６、８０７〜８１２に対応し、他方の列に配置されたインデックスはインデックス５０７〜５１２、７０７〜７１２、８０１〜８０６に対応する。入力装置は操作パネル２０１に対応し、２つの操作部材はロータリースイッチ２０６ｃと決定ボタン２０６ｂに対応する。交互に選択は矢印５１６、７１３、８１３に対応し、回転式操作部材はロータリースイッチ２０６ｃに対応する。
【図面の簡単な説明】
【００３４】
【図１】本発明の一実施形態のナビゲーション装置の構成を示すブロック図である。
【図２】車両内に実装されたナビゲーション装置の外観の略図である。
【図３】タッチパネルの断面図である。
【図４】タッチパネルの押圧位置の算出を説明する図である。
【図５】本発明の第１の実施形態のナビゲーション装置に表示されたタッチパネルの表示画面を説明する図である。
【図６】インデックスを単に２列に配置して表示したときの問題点を説明する図である。
【図７】本発明の第２の実施形態のナビゲーション装置に表示されたタッチパネルの表示画面を説明する図である。
【図８】本発明の第３の実施形態のナビゲーション装置に表示されたタッチパネルの表示画面を説明する図である。
【符号の説明】
【００３５】
１  ナビゲーション装置
１１  制御回路
１６  表示モニタ
１８  タッチパネル
１９  タッチパネルコントロール部
２０６ｃ  ロータリースイッチ
５０１〜５１２、７０１〜７１２、８０１〜８１２  インデックス
５１３  地図
５１４  自車位置
ＢＡ  バー
【図１】
2006085458.tif 000003
【図２】
2006085458.tif 000004
【図３】
2006085458.tif 000005
【図４】
2006085458.tif 000006
【図５】
2006085458.tif 000007
【図６】
2006085458.tif 000008
【図７】
2006085458.tif 000009
【図８】
2006085458.tif 000010